(57)【要約】【課題】本発明は、マスカラ液を良い状態に仕上げるよう塗布するために要する時間の短縮を可能にする電動式マスカラアプリケータを提供する。【解決手段】  本発明に係る電動式マスカラアプリケータＰは、振動及び回転を発生させる振動モータ５と、筐体４内で振動モータ５の出力軸１９に連結されると共に、振動モータ５の回転を減少させる減速部６と、減速部６から突出する出力軸２１とブラシシャフト３とを連結して、ブラシシャフト３を回転させる回転伝達部７と、筐体４内に収容されて、ブラシシャフト３の回転をブラシシャフト３の回転軸線方向の往復運動に変換するカム機構８と、を備える。【選択図】図１
2011092524.tif 000002
【特許請求の範囲】
【請求項１】
先端にブラシが設けられたブラシシャフトが回転する電動式マスカラアプリケータにおいて、
筐体内に収容されて、振動及び回転を発生させる振動モータと、
前記筐体内で前記振動モータの出力軸に連結されると共に、前記振動モータの回転を減少させる減速部と、
前記減速部から突出する出力軸と前記ブラシシャフトとを連結して、前記ブラシシャフトを回転させる回転伝達部と、
前記筐体内に収容されて、前記ブラシシャフトの回転を前記ブラシシャフトの回転軸線方向の往復運動に変換するカム機構と、を備えたことを特徴とする電動式マスカラアプリケータ。
【請求項２】
前記回転伝達部は、前記ブラシシャフト内で前記回転軸線方向に摺動し且つ前記ブラシシャフトと一緒に回転する回転伝達シャフトであり、
前記筐体内で前記ブラシシャフトと前記減速部との間に配置された前記カム機構は、前記ブラシシャフトに固定されて前記ブラシシャフトと一緒に回転すると共に、前記回転軸線方向において前記減速部側に向けて突出する移動側山部と、前記移動側山部の回転軌道上に位置すると共に、前記筐体内で固定された固定側山部とからなることを特徴とする請求項１記載の電動式マスカラアプリケータ。
【請求項３】
前記回転伝達部のうち前記ブラシシャフトに挿入された部分と、前記ブラシシャフトとの間にバネが配置され、前記バネは前記ブラシシャフトを前記カム機構に向けて付勢することを特徴とする請求項１又は２に記載の電動式マスカラアプリケータ。
【請求項４】
前記振動モータは、扁平であり、前記減速部は、遊星歯車により構成されていることを特徴とする請求項１〜３の何れか一項に記載の電動式マスカラアプリケータ。
【発明の詳細な説明】
【技術分野】
【０００１】
本発明は、まつげにマスカラ剤を塗布する電動式マスカラアプリケータに関するものである。
【背景技術】
【０００２】
従来、このような分野の技術として特開２００５−９５５３１号公報がある。この公報に記載された電動マスカラＡのアプリケータにおいては、モータと、減速機構としての多段遊星歯車との協働によりブラシが回転する。
【０００３】
また、別の従来技術として特表２００８−５０４９４５号公報がある。この公報に記載された電動マスカラＢのアプリケータにおいては、振動モータを備えることにより、ブラシを振動させている。
【０００４】
また、別の従来技術として特表２００８−５２２６７２号公報がある。この公報に記載された電動マスカラＣのアプリケータ（同公報の図７８Ａ〜図７９Ａ、段落［００５４］）においては、駆動シャフトに接続された茎部伸張部に螺旋状の溝が設けられている。その為、駆動シャフトが収縮位置から伸長位置に移動する間に、駆動シャフトは、時計方向に回転し、駆動シャフトが伸長位置から収縮位置に移動する間に、駆動シャフトは、反時計方向に回転する。
【０００５】
また、同じ公報に記載された別の電動マスカラＤのアプリケータ（図８１Ａ〜図８１Ｃ、段落［００５８］）において、モータディスクの回転の中心が茎部のディスクより上にある時に、茎部は、時計方向に回転し、モータディスクの回転の中心が茎部のディスクより下にある時に、茎部は、反時計方向に回転する。同時に、カムによって茎部は、軸線方向に上下運動する。
【０００６】
また、同じ公報に記載された別の電動マスカラＥのアプリケータ（図８９、段落［００６０］）は、モータの軸線に対して偏心して設けられたおもりによって発生した起振力がボスを介して茎部に伝えられ、この起振力によって茎部が回転する。
【先行技術文献】
【特許文献】
【０００７】
【特許文献１】特開２００５−９５５３１号公報
【特許文献２】特表２００８−５０４９４５号公報
【特許文献３】特表２００８−５２２６７２号公報
【発明の概要】
【発明が解決しようとする課題】
【０００８】
しかしながら、上記電動マスカラＡ及び電動マスカラＢでは、利用者は、まつげ全体に均一にマスカラ液を塗布するために、マスカラをまつげに対して左右に移動する必要がある。この場合、マスカラ液をまつげ全体に均一に塗布するには利用者の勘と経験が必要であり、慣れている利用者であっても、まつげ全体に均一にマスカラ液を塗布するには相当の時間を要するという問題があった。
【０００９】
更に、上記電動マスカラＡでは、まつげの絡まりをほぐしながらマスカラ液を塗布することができない。利用者は、まつげが絡み合うことを防止しながらマスカラ液を塗布する必要があるため、マスカラ液塗布に多くの時間を要してしまう。また、上記電動マスカラＢによっては、まつげをカールするように上に持ち上げることができない。利用者は、ビューラー等を用いてカーリングを別途行う必要があり、マスカラ液塗布のために多くの時間を要してしまう。また、ビューラーによりまつげが痛められたり、抜けたりする可能性があった。
【００１０】
また、上記電動マスカラＣ及び電動マスカラＤによっては、まつげの絡まりをほぐしながらマスカラ液を塗布することができない。利用者は、まつげが絡み合うことを防止しながらマスカラ液を塗布する必要があるため、マスカラ液塗布に多くの時間を要してしまう。更に、上記電動マスカラＣ及び電動マスカラＤによる回転は、ブラシシャフトが直線往復運動している間に時計回りと反時計回りを繰り返すこととなる。その為、効率よくまつげを持ち上げることができず、マスカラ液塗布のために多くの時間を要するという問題があった。
【００１１】
上記電動マスカラＥにおいて、利用者は、まつげ全体に均一にマスカラ液を塗布するためにマスカラＥをまつげに対して左右に動かす必要がある。この場合、マスカラ液をまつげ全体に均一に塗布するには利用者の勘と経験が必要であり、慣れている利用者であっても、まつげ全体に均一にマスカラ液を塗布するには相当の時間を要するという問題があった。
【００１２】
加えて、従来の電動マスカラＣの螺旋状の溝は、ブラシシャフトの上下運動をブラシシャフトの回転運動に変換している。このような電動マスカラＣは、ブラシシャフトの上下移動量と回転量とが比例しており、且つ駆動シャフトとブラシシャフトとの全体が上下運動するので、マスカラ全体の小型化に限界があるという問題があった。
【００１３】
また、電動マスカラＤは、モータ及びモータディスクの回転軸がブラシシャフトの回転軸に対して垂直になっているため、小型化に限界があるという問題があった。また、電動マスカラＥにおいては、振動モータによって生じた振動をブラシの回転に変換しているため、回転数を自由に設定することが困難であり、また設定した回転数を安定して得ることが困難であるという問題があった。
【００１４】
本発明は、良好にマスカラ液を塗布するために要する時間の短縮を可能とする電動式マスカラアプリケータを提供することを目的とする。
【課題を解決するための手段】
【００１５】
本発明は、先端にブラシが設けられたブラシシャフトが回転する電動式マスカラアプリケータにおいて、筐体内に収容されて、振動及び回転を発生させる振動モータと、筐体内で振動モータの出力軸に連結されると共に、振動モータの回転を減少させる減速部と、減速部から突出する出力軸とブラシシャフトとを連結して、ブラシシャフトを回転させる回転伝達部と、筐体内に収容されて、ブラシシャフトの回転をブラシシャフトの回転軸線方向の往復運動に変換するカム機構と、を備えたことを特徴とする。
【００１６】
この電動式マスカラアプリケータにおいては、振動モータによって生じた振動がブラシシャフトを介してブラシに伝達されるため、まつげの絡まりを自動的にほぐすことが可能となる。また、減速部によって所望の回転数に減少させられた回転が回転伝達部及びブラシシャフトを介してブラシに伝達されるため、まつげをカールするように上に持ち上げることが可能となる。また、カム機構によって変換された回転軸線方向の往復運動がブラシシャフトを介してブラシに伝達されるため、ブラシを、まつげに対して左右方向に自動的に運動させることができるので、使用者は、電動式マスカラアプリケータを左右に動かすことなくマスカラ液をまつげに均一に塗布することが可能となる。
この電動式マスカラアプリケータにおいては、上記振動、回転及び回転軸線方向の往復運動が同時に行われる。回転及び回転軸線方向の往復運動のみではなく、ブラシが同時に振動することによって、使用者はまつげの絡まりをほぐしながらマスカラ液を塗布する必要がなく、マスカラ液の塗布に要する時間の短縮が可能となる。
また、振動及び回転のみでなく、ブラシが同時に回転軸線方向へ往復運動するため、使用者が電動式マスカラアプリケータを左右に動かすことも回転させることも要せず、一定の場所に筐体を手で保持しているだけで広範囲にマスカラ液を均一に塗布することが可能となる。これまで勘と経験に頼ってマスカラを動かしていたが、自動化することで、マスカラ液の塗布の失敗を減らしてマスカラ液塗布に要する時間を短縮することが可能となる。
更に、振動モータの出力軸と減速部とは連結され、先端にブラシが設けられたブラシシャフトと減速部の出力軸とは、回転伝達部を介して連結されている。そのため、ブラシの回転方向は、時計回りと反時計回りを繰り返すことがなく、一方向に回転するので、効率よくまつげを持ち上げることが可能となる。従って、マスカラ液塗布のために要する時間を更に短縮することが可能となる。
加えて、この電動式マスカラアプリケータにおいては、振動モータの回転軸線とブラシシャフトの回転軸線とが直交するように配置されていないので、電動マスカラの小型化が可能となる。
また、振動モータの出力軸と減速部とは連結され、先端にブラシが設けられたブラシシャフトと減速部の出力軸とは、回転伝達部を介して連結されているため、この電動式マスカラアプリケータにおけるブラシは、振動を回転に変換する従来の電動マスカラＥと比較して、回転速度の意図しない変動を少なくして、安定した回転を得ることが可能である。
【００１７】
また、回転伝達部は、ブラシシャフト内で回転軸線方向に摺動し且つブラシシャフトと一緒に回転する回転伝達シャフトであり、筐体内でブラシシャフトと減速部との間に配置されたカム機構は、ブラシシャフトに固定されてブラシシャフトと一緒に回転すると共に、回転軸線方向において減速部側に向けて突出する移動側山部と、移動側山部の回転軌道上に位置すると共に、筐体内で固定された固定側山部とからなることが好適である。
【００１８】
この電動式マスカラアプリケータの回転伝達部が、ブラシシャフト内で回転軸線方向に対しては摺動し、且つブラシシャフトと一緒に回転しているために、電動マスカラの全長を長くすることなく、回転軸線方向の往復運動と回転を同時にブラシに伝えることができる。
さらに、この電動式マスカラアプリケータのカム機構が、筐体内でブラシシャフトと減速部との間に配置されているために、電動マスカラの全長を長くすることなく更なる小型化が可能となる。
さらに、この電動式マスカラアプリケータのカム機構は、ブラシシャフトと一緒に回転する移動側山部と筐体内で固定された固定側山部とが向かい合って配置された構造になっているため、ブラシシャフトの回転を利用して、ブラシシャフトを回転軸線方向に往復運動させることができる。
【００１９】
また、回転伝達部のうちブラシシャフトに挿入された部分と、ブラシシャフトとの間にバネが配置され、このバネはブラシシャフトをカム機構に向けて付勢することが好適である。
【００２０】
このバネがブラシシャフト内に設けられているため、バネがブラシシャフト外に設けられていることに対して、筐体の全長が長くなることを抑えることができ、電動マスカラの更なる小型化が可能となる。しかも、ブラシシャフトは、振動モータの振動をブラシと共振させるために一定の長さを必要とするので、バネを一定の長さのブラシシャフト内に設けてブラシシャフト内部のスペースを有効活用することで、ブラシの共振を損なわずに電動マスカラの全長を短くすることができる。
【００２１】
また、振動モータは扁平型とし、減速部は遊星歯車を利用し構成されていることが好適である。
【００２２】
この電動式マスカラアプリケータにおいては、更なる小型化が可能となる。
【発明の効果】
【００２３】
本発明によれば、マスカラを良い状態に仕上げるよう塗布するために要する時間の短縮が可能となる。
【図面の簡単な説明】
【００２４】
【図１】本発明に係る電動式マスカラアプリケータの一実施形態を示す断面図である。
【図２】ブラシシャフトが収縮位置にある電動式マスカラアプリケータの斜視図である。
【図３】ブラシシャフトが伸長位置にある電動式マスカラアプリケータの断面図である。
【図４】ブラシシャフトが伸長位置にある電動式マスカラアプリケータの斜視図である。
【発明を実施するための形態】
【００２５】
以下、図面を参照しつつ本発明に係る電動式マスカラアプリケータの好適な実施形態について詳細に説明する。
【００２６】
図１に示すように、電動マスカラ１は、まつげを濃くし、まつげをカールするように上に上げる、或いは、まつげを長く見せる目的で、まつげにマスカラ液を塗布するための化粧用品であって、マスカラ液の入ったキャップＣと、マスカラ液を塗布するためのブラシ２を具備する電動式マスカラアプリケータＰとからなる。電動式マスカラアプリケータＰは、マスカラ液をまつげに塗布するためのブラシ２が先端に設けられたブラシシャフト３と、機構を収容するための筐体４とを備えている。なお、以下の説明において、ブラシ２側を「上」と表現し、筐体４の底側を「下」として表現する。筐体４の底部には、電力を供給するボタン電池９が収容され、ボタン電池９の上方には、ボタン電池９と接続された扁平型の振動モータ５が収容される。
【００２７】
更に、筐体４の内部には、振動モータ５の出力軸１９に連結される減速部６が、振動モータ５の上方に収容されている。減速部６の上端から突出する出力軸２１には、ブラシシャフト３を回転させる棒状の回転伝達部７の下端が連結されている。更に、筐体４の内部において、減速部６とブラシシャフト３との間には、カム機構８が配置されている。
【００２８】
筐体４は、電動マスカラ１の使用者が把持するための部分であり、手の小さな使用者にとっても抵抗なく把持できるために、直径１６ｍｍ程度の円筒形が好ましい。筐体４の長さは持ち運びの便宜のために、６０ｍｍ以下であることが好ましく、更に好適には４０ｍｍ〜５０ｍｍである。なお、筐体４の形状は、これに限らず、例えば四角柱などの多角柱であっても良い。また、振動モータ５、及び減速部６は、筐体４に対して固定され、ボタン電池９は封入されている。回転伝達部７の下端には、減速部６の出力軸２１が圧入されている。
【００２９】
ブラシシャフト３の下側に形成された挿入孔２９内には、回転伝達部７が挿入されている。また、ブラシシャフト３は、筐体４に固定された軸受１０によって、ブラシシャフト３の回転運動と直線運動とが支持されている。電動式マスカラアプリケータＰが軸受１０を備えることによってブラシシャフト３の回転軸線が傾くことを防ぐ事ができる。
【００３０】
振動モータ５は、ロータ５ａに固定された偏心錘２０を有し、この偏心錘２０は、出力軸１９の回転軸線に対して偏心した位置に配置されている。この偏心錘２０は、例えばタングステンなどの高比重金属が用いられている。振動モータ５が偏心錘２０を備えることにより、振動モータ５は、出力軸１９の回転と同時に振動を発生することとなる。また、動力源を扁平型の振動モータ５にすることによって、電動マスカラ１の全長の短縮化が可能となる。全長の短縮化を意図しなければ、円筒型の振動モータであっても良い。
【００３１】
減速部６は、遊星歯車を多段に積層した多段遊星歯車である。減速部６の出力軸２１は、最上部に位置する遊星歯車のキャリアと連結されている。減速部６を多段遊星歯車にすることで、大きな減速比をもって電動マスカラ１を小型化することができる。棒状の回転伝達部７は、ブラシシャフト３の下端側から挿入され、減速部６の出力軸２１及びブラシシャフト３と一緒に回転する回転伝達シャフトである。回転伝達部７は、細長い棒状のシャフト部７ａと、シャフト部７ａの先端に設けられた拡径部７ｂとからなる。シャフト部７ａの下端に設けられた軸孔１６には、出力軸２１が圧入されて、出力軸２１とシャフト部７ａは一緒に回転する。ブラシシャフト３は、円筒状の支柱１３内に挿入され、接着剤によって一体化されて、支柱１３と一緒に回転する。
【００３２】
支柱１３は、上方が開いた円筒形部１３ａと、下側で縮径された基部１３ｂとからなる。基部１３ｂの中心には、回転伝達部７のシャフト部７ａが貫通して摺動する貫通孔２６が設けられている。シャフト部７ａには、軸線方向に延在する長溝２３が設けられている。この長溝２３には、基部１３ｂの側面から打ち込まれて基部１３ｂに固定されたピン２７が貫通している。このピン２７は、長溝２３内を軸線方向に移動可能であり、ピン２７によって、回転伝達部７と支柱１３との連れ回りを可能にし、支柱１３がブラシシャフト３に接着剤により固定されているので、振動モータ５の駆動により、ブラシシャフト３を回転させることができる。なお、基部１３ｂに長溝を設けて、シャフト部７ａにピンを設けてもよい。
【００３３】
基部１３ｂの下端には、支柱１３と一体的に形成された回転円板１５が設けられている。この回転円板１５の中央には、貫通孔３０が設けられ、この貫通孔３０には、シャフト部７ａが貫通している。基部１３ｂの上端面は、第１のバネ受け面２８をなし、拡径部７ｂの下端面は、第２のバネ受け面２５をなしている。第１のバネ受け面２８と第２のバネ受け面２５との間には、シャフト部７ａの周囲で巻回されている圧縮コイルバネ１１が配置されている。
【００３４】
円筒形部１３ａの上方の開口からブラシシャフト３が圧入されている。ブラシシャフト３には、回転伝達部７が挿入される挿入孔２９が形成され、この挿入孔２９の内部には、拡径部７ｂの全体、シャフト部７ａの一部、及びバネ１１が配置されており、挿入孔２９の内周面と拡径部７ｂとは摺接している。ブラシシャフト３に固定された支柱１３には、金属製のスリーブ１７が圧入され、スリーブ１７の外周面は、筐体４の内周面に固定された軸受１０によって支持されている。軸受１０によって、ブラシシャフト３は、回転軸線方向への移動及び回転が自由であり、スリーブ１７によって支柱１３が軸受１０の影響下で磨耗することを防止している。
【００３５】
図１及び図２に示すように、カム機構８は、回転円板１５と一体をなす移動側山部８ａと、筐体４側に固定された固定側山部８ｂとからなる。移動側山部８ａは、回転円板１５の下面の周縁から下方向に突出し、固定側山部８ｂは、移動側山部８ａの回転軌道上に位置し、筐体４に固定された仕切板３１に一体的に形成されている。移動側山部８ａ及び固定側山部８ｂの形状は、台形状である。なお、固定側山部８ｂの数を複数としてもよい。その場合、移動側山部８ａの一回転でブラシ２が固定側山部８ｂの数だけ往復運動する。
【００３６】
カム機構８は、ブラシシャフト３と減速部６との間に配置され、カム機構８の回転軸線は、ブラシシャフト３、振動モータ５、減速部６、及び回転伝達部７の回転軸線と同一である。このような構成によって、最も効率よく筐体４内の空間を利用することが可能となり電動マスカラ１全体のスリム化すなわち小型化が可能となる。
【００３７】
ここで、図３及び図４を参照して、ブラシ２、ブラシシャフト３及び移動側山部８ａの動作について説明する。
【００３８】
移動側山部８ａが回転して、移動側山部８ａが固定側山部８ｂと接触すると、移動側山部８ａは固定側山部８ｂの昇り斜面に沿って上昇し、ブラシシャフト３が上方向に移動する。移動側山部８ａが更に回転して、移動側山部８ａは、固定側山部８ｂの下り斜面に沿って降下する。このときバネ１１の付勢力によって移動側山部８ａと固定側山部８ｂとが離れることなく、常に接触し続ける。そして、更に移動側山部８ａが回転すると、移動側山部８ａの頂部がバネ１１の付勢力によって仕切板３１に接触し続ける。移動側山部８ａが一回転する毎にブラシ２は一往復する。
【００３９】
次に、電動式マスカラアプリケータＰの動作について説明する。
【００４０】
ユーザによってスイッチ１２が操作されるとボタン電池９から振動モータ５へ電力が供給される。スイッチ１２はＯＦＦ、右回転、又は左回転の選択が可能である。振動モータ５に電力が供給されると、振動モータ５が回転し、振動及び回転が生じる。振動モータ５によって生じた振動は、減速部６、回転伝達部７及びブラシシャフト３を介してブラシ２に伝えられる。或いは、振動モータ５によって生じた振動は、筐体４、軸受１０及びブラシシャフト３を介してブラシ２に伝えられる。
【００４１】
振動モータ５によって生じた回転は、減速部６によって減速され、回転伝達部７に伝えられる。回転伝達部７が回転すると、ピン２７により回転伝達部７と一緒に回転する支柱１３が回転する。支柱１３は、ブラシシャフト３と一緒に回転し、それに伴ってブラシ２は、一定の速度で回転する。
【００４２】
上記の動作をする電動式マスカラアプリケータＰは、振動モータ５に供給する電流を調整することにより、ブラシ２の回転方向や速度を自由に変更することが可能である。通常、例えば、右目のまつげに対してマスカラ液を塗布する場合には右手で電動式マスカラアプリケータＰを把持する。この時、まつげを持ち上げるためには、ブラシ２は、電動式マスカラアプリケータＰの上方からみて反時計回りで回っていることを要する。
【００４３】
支柱１３の回転は、一体形成されている回転円板１５に伝えられ、回転円板１５に固定されている移動側山部８ａも回転することとなる。移動側山部８ａが回転すると、固定側山部８ｂによって、移動側山部８ａは上昇し、図３に示すように、ブラシシャフト３は矢印Ａ方向に移動する。移動側山部８ａが更に回転すると、移動側山部８ａは、固定側山部８ｂの斜面を滑りながら降下し、ブラシシャフト３は、矢印Ｂ方向に移動する。このようにして、ブラシシャフト３は、直線的に往復運動する。
【００４４】
従来、自分の手でアプリケータを移動させてまつげ全体に均一にマスカラ液を塗布するためには、勘と経験が頼りであり、慣れた人であっても多くの時間を要する。また、アプリケータの移動が少しずれると肌にマスカラ液が付く場合がある。電動式マスカラアプリケータＰは、回転と同時にブラシ２が回転軸線方向に沿って往復運動を行うので、使用者は一定の場所に筐体４を手で保持しているだけで必要な範囲にマスカラ液を均一に塗布することができる。その場合、肌にマスカラ液が付くなどのミスの発生も抑制できる。そして、まつげにマスカラ液を良好に塗布する時間を短縮できる。
【００４５】
次に、電動式マスカラアプリケータＰの作用及び効果を説明する。
【００４６】
電動式マスカラアプリケータＰは、振動及び回転を発生させる振動モータ５と、筐体４内で振動モータ５の出力軸１９に連結されると共に、振動モータ５の回転を減少させる減速部６と、減速部６から突出する出力軸２１とブラシシャフト３とを連結して、ブラシシャフト３を回転させる回転伝達部７と、筐体４内に収容されて、ブラシシャフト３の回転をブラシシャフト３の回転軸線方向の往復運動に変換するカム機構８と、を備える。
【００４７】
この電動式マスカラアプリケータＰにおいては、振動、回転及び回転軸線方向の往復運動が同時に行われる。回転及び回転軸線方向の往復運動のみではなく、ブラシ２が同時に振動することによって、使用者はまつげの絡まりをほぐしながらマスカラ液を塗布する必要がなく、マスカラ液の塗布に要する時間を短縮できる。また、振動及び回転のみでなく、ブラシ２が同時に回転軸線方向に往復運動するため、使用者が電動式マスカラアプリケータＰを左右に動かすことも回転させることもせず、一定の場所に筐体４を手で保持しているだけで広範囲にマスカラ液を均一に塗布することが可能となる。これまで勘と経験に頼って電動式マスカラアプリケータＰを動かしていたが、自動化することで、マスカラ液の塗布の失敗を減らしてマスカラ液塗布に要する時間を短縮できる。
【００４８】
更に、振動モータ５の出力軸１９と減速部６とは連結され、先端にブラシ２が設けられたブラシシャフト３と減速部６の出力軸２１とは、回転伝達部７を介して連結されている。そのため、ブラシ２の回転方向は、時計回りと反時計回りを繰り返すことがなく、一方向に回転するので、効率よくまつげを持ち上げることが可能となる。従って、マスカラ液塗布に要する時間を更に短縮できる。
【００４９】
加えて、この電動式マスカラアプリケータＰにおいては、振動モータ５の回転軸線とブラシシャフト３の回転軸線とが直交とするように配置されていないので、電動マスカラ１を小型化できる。また、振動モータ５の出力軸１９と減速部６とは連結され、先端にブラシ２が設けられたブラシシャフト３と減速部６の出力軸２１とは、回転伝達部７を介して連結されているため、この電動式マスカラアプリケータＰにおけるブラシ２は、振動を回転に変換する場合と比較して、回転速度の意図しない変動をより少なくし、より安定した回転を得ることができる。
【００５０】
また、電動式マスカラアプリケータＰの回転伝達部７は、ブラシシャフト３内で回転軸線方向に摺動し且つブラシシャフト３と一緒に回転する回転伝達シャフトであり、筐体４内でブラシシャフト３と減速部６との間に配置されたカム機構８は、ブラシシャフト３に固定されてブラシシャフト３と一緒に回転すると共に、回転軸線方向において減速部６側に向けて突出する移動側山部８ａと、移動側山部８ａの回転軌道上に位置すると共に、筐体４内で固定された固定側山部８ｂとからなる。
【００５１】
この電動式マスカラアプリケータＰの回転伝達部７が、ブラシシャフト３内で回転軸線方向に対しては摺動し、且つブラシシャフト３と一緒に回転しているために、電動マスカラ１の全長を長くすることなく、回転軸線方向の往復運動と回転とを同時にブラシ２に伝えることができる。さらに、この電動式マスカラアプリケータＰのカム機構８が、筐体４内でブラシシャフト３と減速部６との間に配置されているために、電動マスカラ１の全長を長くすることなく、より小型化できる。さらに、この電動式マスカラアプリケータＰのカム機構８は、ブラシシャフト３と一緒に回転する移動側山部８ａと筐体４内で固定された固定側山部８ｂとが向かい合って配置された構造になっているため、ブラシシャフト３の回転を利用して、ブラシシャフト３を回転軸線方向に往復運動させることができる。
【００５２】
また、バネ１１は、回転伝達部７のうちブラシシャフト３に挿入された部分と、ブラシシャフト３との間に配置されると共に、支柱１３を介して、ブラシシャフト３をカム機構８に向けて付勢している。この電動式マスカラアプリケータＰにおいては、バネ１１がブラシシャフト３内に設けられているため、バネ１１がブラシシャフト３外に設けられていることに対して、筐体４の全長が長くなることを抑えることができ、電動マスカラ１の更なる小型化が可能となる。しかも、ブラシシャフト３は、振動モータ５の振動をブラシ２と共振させるために一定の長さを必要とするので、バネ１１を一定の長さのブラシシャフト３内に設けてブラシシャフト３内部のスペースを有効活用することで、ブラシ２の共振を損なわずに電動マスカラ１の全長を短くすることができる。
【００５３】
また、振動モータ５を、扁平型とし、減速部６は遊星歯車を利用し構成されているため、より小型化できる。
【符号の説明】
【００５４】
１…電動マスカラ、２…ブラシ、３…ブラシシャフト、４…筐体、５…振動モータ、６…減速部、７…回転伝達部、８…カム機構、１１…バネ、１９、２１…出力軸、８ａ…移動側山部、８ｂ…固定側山部、Ｐ…電動式マスカラアプリケータ。
【図１】
2011092524.tif 000003
【図２】
2011092524.tif 000004
【図３】
2011092524.tif 000005
【図４】
2011092524.tif 000006